(57)【特許請求の範囲】
【請求項１】
第１のウエスト領域と、第２のウエスト領域と、前記第１のウエスト領域と前記第２のウエスト領域との間に配置された股領域を有する吸収性物品であって、
排泄物を収容するための一次開口部を有するトップシート、
前記トップシートの少なくとも一部と接合したバックシート、
前記トップシートと前記バックシートの少なくとも一部の間に置かれた吸収性コアと、
前記トップシートと前記バックシートの間に配置され、排泄物が向けられるボイド空間を形成するスペーサ部材であって、少なくとも０．５ｐｓｉ（３５．０ｇ／ｃｍ２）の圧力下での圧縮が６０％を超えることがなく、かつ、湿潤状態における約１．０ｐｓｉ（７０．３ｇ／ｃｍ２）の圧力下での圧縮が、乾燥状態における約１．０ｐｓｉ（７０．３ｇ／ｃｍ２）の圧力下での圧縮率よりも小さい前記スペーサ部材、および
前記一次開口部の周りの少なくとも一部に配置されて、使用の際に、着用者に対して該吸収性物品の前記トップシートを接着するための身体接着用組成物、を含んでなることを特徴とする、吸収性物品。
【請求項２】
前記一次開口部が、約１０ｃｍ２ないし約５０ｃｍ２の面積を有する、請求項１に記載の吸収性物品。
【請求項３】
前記一次開口部が、約１５ｃｍ２ないし約３５ｃｍ２の面積を有する、請求項２に記載の吸収性物品。
【請求項４】
前記身体接着用組成物が、医用接着剤、ヒドロゲル接着剤、ゼラチン、ペテロラタム、ワックス、オイル、スキンケア組成物からなる群から選ばれた材料を含む、請求項１に記載の吸収性物品。
【請求項５】
前記身体接着用組成物が、前記一次開口部の周囲に連続して配置されている、請求項１に記載の吸収性物品。
【請求項６】
前記スペーサ部材が、弾性体である、請求項１に記載の吸収性物品。
【請求項７】
前記スペーサ部材が、約１０ないし約１５０ｃｍ３のボイド空間体積を有する、請求項１に記載の吸収性物品。
【請求項８】
前記スペーサ部材が、約２５ないし約７５ｃｍ３のボイド空間体積を有する、請求項７に記載の吸収性物品。
【請求項９】
前記スペーサ部材は、使用の際に、約０．５ｃｍないし約３ｃｍの厚さを有している、請求項１に記載の吸収性物品。
【請求項１０】
前記スペーサ部材が、前記トップシート、前記バックシート、前記吸収性コア、またはサブレイヤの１または２以上と接合されている、請求項１に記載の吸収性物品。
【請求項１１】
前記スペーサ部材が、乾燥状態で測定したとき、約１ｐｓｉ（７０．３ｇ／ｃｍ２）の圧力おいて約６０％未満の圧縮を有する、請求項１に記載の吸収性物品。
【請求項１２】
前記スペーサ部材が、乾燥状態で測定したとき、約１ｐｓｉ（７０．３ｇ／ｃｍ２）の圧力おいて約３０％未満の圧縮を有する、請求項１に記載の吸収性物品。
【請求項１３】
前記スペーサ部材が、湿潤状態で測定したとき、約１ｐｓｉ（７０．３ｇ／ｃｍ２）の圧力おいて６０％未満の圧縮を有する、請求項１に記載の吸収性物品。
【請求項１４】
前記スペーサ部材が、湿潤状態で測定したとき、約１ｐｓｉ（７０．３ｇ／ｃｍ２）の圧力おいて約３０％未満の圧縮を有する、請求項１３に記載の吸収性物品。
【発明の詳細な説明】
【０００１】
【産業上の利用分野】
この発明は衛生上の吸収性物品である、ダイヤパー、大人用失禁対応物品、女性用生理用品等に関する。
【０００２】
【従来の技術】
吸収性物品（アブソーベントアーティクル）はよく知られているところである。これらの物品は一般に吸収性コアを有していて、それが使用時には着用者の身体に当てられるように保持され、位置付けられ、そのために固定用システム（ファスナシステム）が使用され、身体からの滲出物がこの物品によって捕えられるようにしている。典型的な吸収性部材は着用者に面したトップシートを含んでいた、これが流体である滲出物が通り抜けられるようにし、またバックシートを含んでいて、これが滲出物が吸収性物品から逃げて行かぬようにしている。
【０００３】
【発明が解決しようとする課題】
この分野の技術では、使い捨て可能な吸収性物品の導入以降に、数多くの発展が行なわれている。しかしながら、問題はまだフィーシーズ（feces：糞、おりもの等と訳出する）の受入れと貯めることとについて残され、とくに流動性があり、ペースト状の糞、おりもの等に関して残されたままとなっている。この問題は解決がむづかしくその理由は糞、おり等が一般にトップシートを通らず、したがってダイヤパーが交換されるまではダイヤパー内であたりを自由に動けるようになっていることによる。これは時には糞、おりもの等がダイヤパーから逃げ出して、着用者の肌（スキン）を汚損することとなっている。
【０００４】
タイヤパーから糞、おりものなどが逃げ出して肌を汚損することを避けるために、開口がトップシート内に用意され、それが糞、おりもの等を吸収性コアへ通すことができるようにしている。しかしながら、この開口はダイヤパーへの適用の際に位置どりがむづかしく、ダイヤパーを着用するときに所望の位置から動いてしまう。
【０００５】
したがって、適合（フィッテング）を改良し、使用中に維持することができるシーリング（封止）を備えた吸収性物品を用意することが望まれる。また身体滲出物とくに糞、おりもの等を受入れて貯めておくための、望ましい構成を維持することができる物品を用意することも望しい。さらに、着用者の肌を刺戟したり傷つけたりせずに、（例えば開口が肛門と整列するといった）望ましい構成で物品を支持することを助ける今日的話題となっている身体用接着剤を備えた物品を用意することが好都合である。さらにまた、廃棄物に対するボイドスペース（空いている空間）を用意して、圧力が加えられたとしてもそれが維持できるようにするのがよい。この圧力は一般にはこの物品のクロッチ（肌）とバトック（尻）の部分によって、着用者が（椅子に）座った位置にあるときに発生される力である。
【０００６】
【課題を解決するための手段】
従来技術で見付かったいくつかの問題を解決するために、大人の失禁対策用物品、赤ちゃんのダイヤパー、あるいは婦人用生理用品（ハイジーンパッド）のような吸収性物品でボイドスペースを有するものが提供されており、今日的な話題となっている（トピカルな）接着剤を有するようにし、それがこの物品を所望の構成を保って身体の滲出物を受入れて記憶する。好ましいのは、吸収性物品は、トップシートとして糞、おりもの等の廃棄物を受入れるための一次開口を含んでいるものと、トップシートの少くとも一部分と接合しているバックシートと、少くとも一部分のトップシートとバックシートとの間に置かれた吸収性コアと、トップシートとバックシートとの間に置かれたスペーサ部材とを備えている。この吸収性部材はまた、少くとも一部分の一次開口の周りに置かれた身体接着用の複合物（繊維物）を含んでいて、この吸収性物品のトップシートを使用中に着用者に接着するようにしている。
【０００７】
発明の詳細な記述で使用する用語の説明
ここで使用する用語“吸収性物品（アブソーベントアーティクル）”は、身体滲出物を吸収して含むデバイス（手段）を言い、とくに身体から放出される各種の滲出物を吸収して含むために着用者の身体にあてて置かれるか、近くに置かれるものを言う。用語“使い捨て可能（ディスポーザブル）”は、一般には洗濯に供されたり、あるいは吸収性部品として別に回復措置がとられたり、再使用されたりすることが意図されていない吸収性物品を記述するために、ここでは使用されている。（すなわち、この物品は一回の使用後に捨てられることが意図されていて、好ましいのはリサイクルに供するか、堆肥とされるか、環境上コンパチビリティのある（両立可能な）やり方で別途廃棄されることが意図されている。）（ここで使用されている用語“配列された（ディスポーズド）”は、ダイヤパーの要素が特定の場所もしくは位置に形成され（接合され、また位置付けられ）てダイヤパーの他の要素と単一の（ユニタリィ）構造となるか、あるいはダイヤパーの別の要素と接合された別個の要素となることを意味している。ここで使用されている用語“接合された（ジョインド）”は、ある要素が別な要素に直接取り付けて直接固定されるような構成と、ある要素が別な要素に取り付けられている中間部材に取り付けられることにより別な要素と間接的に固定されるような構成とを包含している。）単一の（ユニタリィ）吸収性物品は、協調的関係にある存在物（コォーディネーテッドエンティティ）を形成するために別個な部品を一緒に形成した吸収性物品を言い、したがって吸収性物品は別個のホルダやライナのような別個に取扱うことになる部品を必要としないようにしている。この発明の吸収性物品の好ましい実施例は図１に示すような、単一の使い捨て可能な吸収性物品、すなわちダイヤパー２０、である。ここで使用されている用語“タイヤパー”は一般に赤ちゃんと失禁のある人々によって下腹部（トルソ）の周りに着用される吸収性物品を言う。この発明はまた他の吸収性物品である失禁用（インコンティネンス）ブリーフ、失禁用下着、吸収性挿入物（インサート）、ダイヤパーホルダとライナ、婦人用生理用品、ふくもの（ワイプ）、モップ、ばんそうこう  ほうたい等（バンデージ）、等々にも応用できる。
【０００８】
【発明の実施の形態】
図１はこの発明のダイヤパー２０の平面図であり、ダイヤパー２０の構造をより一層はっきりと示すために切断した構造の部分を備えた状態の平面状に展開した図である。ダイヤパーの部分で着用者と対面するところは着者の側を向っている。図１に示すように、ダイヤパー２０は液体を透過するトップシート２４と；液体を透過しないバックシート２６と；少くとも一部分のトップシート２４をバックシート２６との間に置かれている吸収性コア２８と、弾性のあるウエストフィーチャ（ウエストの造り）３４と、一般的に４０と示した固定用システム（ファスナシステム）とを備えている。ダイヤパー２０は図１では第１のウエスト領域３６と、第２のウエスト領域３８で第１のウエスト領域３６と対向しているものと、クロッチ（股）領域３７で第１のウエスト領域と第２のウエスト領域との間に置かれたものとをもつように示されている。ダイヤパー２０の周辺はダイヤパー２０の外縁によって定義されていて、その中では長手方向の縁（エッジ）５０がダイヤパー２０の長手方向の中心線１００とほぼ平行に走っていて、また端縁５２がダイヤパー２０の横方向中心線１１０とほぼ平行な長手方向のエッジ（縁）５０の間に走っている。
【０００９】
ダイヤパー２０のシャーシ（基台）２２はダイヤパー２０の主本体を備えている。シャーシ２２は吸収性コア２８の少くとも一部分を備え、また好ましいのは外側のカバー層がトップシート２４とバックシート２６とを含んでいることである。もし吸収性物品が別個のホルダとライナとを備えていると、シャーシ２２は一般にホルダとライナとを備えている。（例えば、ホルダはこの物品の外側カバーを形成するためにいくつかの材料層を備えていてよいし、ライナはトップシート、バックシート及び吸収性コアを含んでいる吸収性アッセンブリイを備えていてよい。このような場合には、ホルダ及び／又はライナは固定用素子を含んでいて、それが使用時の間ずっとライナをその場所に保持するために使用される。）単一の吸収性物品については、シャーシ２２はダイヤパーの主構造で別のフィーチャを付け加えて複合ダイヤパー構造を形成するようにしたものを備えている。トップシート２４、バックシート２６、及び吸収性コア２６は各種の既知の構成で組立てることができるが、好ましいダイヤパーの構成は、概ねU.S.Pat. No.3,860,003 " Contractible Side Portion for Disposable Diaper " , ( Kenneth B.Buell 1975-01-14 ) ;. U.S.Pat. No.5,151,092 ( Buell , 1992-09-09 ) . U.S.Pat. No.5,221,274 ( Buell 1993-06-22 ) , 及びU.S.Pat. No.5,554,145 " Absorbent Articie With Multiple Zone Structural Elastic-Like Film Web Extensible Waist Feature " , ( Roe et al. 1996-09-10 ). U.S. Pat. No.5,569,234 " Disposable Pull-On Pant " ( Buell at al. 1996-10-29 ) . U.S.Pat. No.5,580,411 " Zero Scrap Method For Manufacturing Side Paneis For Absorbent Articles " ( Nease et al. 1996-12-03 ) 及びU.S. 特許出願番号No.08/915,471 " Absorbent Article With Multi-Directional Extensible Side Panels " ( 1997-08-20, Robles et al ) に記述されており、これらの各文献をここで参考に組入れる。
【００１０】
バックシート２６は一般に吸収性コア２８の着衣に面した表面の近くに置かれ、コア２８はその中に吸収されて含まれている滲出物がダイヤパー２０と接触するベッドシートや下着といった物品を汚損することがないようにする。好ましい実施例では、バックシート２６は液体（例えば尿）に対して非透過性であり、熱可そ性フィルムのような薄いプラスチックフィルムで成り、その厚さは約０．０１２ｍｍ（０．５ミル）ないし約０．０５１ｍｍ（２．０ミル）である。適当とされるバックシートフィルムはTredegar Industries Inc. ( Terre Haute, IN在 )によって製造され、商品名Ｘ１５３０６、Ｘ１０９６２、及びＸ１０９６４で市販されているものを含む。他の適切なバックシート材には通気性材料を含み、これは蒸気はダイヤパー２０から逃げ出せるが、滲出物はバックシート２６を通ることができないようにしている。通気性材料の例には、織られた（ウーブン）ウエブ、織られていない（アンウーブン）ウエブ、フィルムでコーテングした織られていないウエブのような複合材料、及びマイクロポーラスフィルムがあり、マイクロポーラスフィルムは日本の三井東圧社によってESPOIR NOの名の下に製造されていたり、EXXON Chemical Co. ( Bay City, TX在 ) によってEXXAIREの名の下で製造されている。適当とされる通気性複合材料でポリマの混合物で成るものはClopay Corporation ( Cincinnati, OH在 ) からHYTRELブレンドP18-3097の名で入手可能である。このような通気性複合材料はＰＣＴ出願No.WO 95/16746 , 1995-06-22公開、E.I.Dupont、及び未決U.S. 特許出願番号No.08/744,487, 1996-11-06出願 ( Curro ) にかなり詳細に記述されている。他の通気性バックシートで織っていないウエブと開口のある形成されたフィルムとはU.S. Pat. No.5,571,096 ( Dobrin et al. 1996-11-05 ) に記載されている。これらの各参考文献はここに参考として組込まれる。
【００１１】
バックシート２６、もしくはそのいずれかの部分は１つもしくは複数の方向に弾性的に伸長可能であってよい。１実施例では、バックシート２６は構造上弾性的になっているフィルム (" SELF ") ウエブを備えていてよい。構造上弾性的になっているフィルムウエブは伸長可能な材料であり、弾性的な振舞いを弾性材料を加えて使用しなくとも伸びの方向に示す。SELFウエブはひずむことができるネットワーク（網状構造）で少くとも２の連続する、別個の、似ていない領域を有している。好ましいのは、一方の領域が所定軸に平方な方向に加えられた軸方向の伸長に応答して抵抗する力を示してから、他方の領域が加えられた伸長に対して顕著な抵抗する力を展開するようになっていることである。少くとも一方の領域は表面経路長（サーフェスパスレングス）が、この材料に張力が加えられていない状態で、所定軸に実質的に平行に測定したときには他方の領域のものよりも大きくなっている。SELFウエブは少くとも２つの著しく異なる段階を制御された少くとも１つの所定軸に沿った伸長に対する抵抗する力をを示すが、この条件は所定軸に平行な方向に加えられた伸長があるときとされる。SELFウエブが加えられた伸長に対して第１の抵抗する力を示すのは、ウエブの伸長が十分なところまで達して、長い方の表面経路長をもつ領域の本質的な部分が加えられな伸長面に入ることができて、それによりSELFウエブがさらに伸長するのに対して第２の抵抗する力を示すようになるまでである。伸長に対する全体の抵抗する力は第１の領域によって用意される、伸長に対する第１の抵抗する力よりも大きい。SELFウエブでこの発明に適したものはU.S.Pat. No.5,518,801 " Web Materials Exhibiting Elastic-Like Behavior, " ( Chappell, et, al. 1996-05-21 ) により完全に記述されており、ここで参考に組入れる。これに代る実施例では、バックシート２６はゴム弾性をもつフィルム、フォーム、ストランド、もしくはこれらのものまたは織られていないか合成のフィルムを備えた他の適切な材料の組合せを含んでいる。
【００１２】
バックシート２６はトップシート２４、吸収性コア２８、あるいはダイヤパー２０の何れかの他の要素と既知技術のアタッチメント（取り付け）手段によって接合されていてよい。例えば、アタッチメント手段は均一な連続する接着剤層、パターン形成した接着剤層、あるいは別個な線、渦巻き（スパイラル）、もしくはスポットのアレイとなっている接着剤を含むことができる。１つの好ましいアタッチメント手段は接着剤のフィラメントの開かれたパターン網を備えていて、それについてはU.S.Pat. 4,573,986 " Disposable Waste-Containment Garment ", ( Minetola et al. , 1986-03-04 ) に開示されている。他の適切なアタッチメント手段には、接着剤フィラメントのいくつかの線を含んでいて、それがスパイラルパターンとなるように渦を巻いているものがあり、この装置と方法について次のものがある。すなわち、U.S.Pat. 3,911,173 ( Sprague, Jr. 1975-10-07 ) U.S.Pat. 4,785,996 ( Ziecker, et al. 1978-11-22 ) 及びU.S.Pat. 4,842,666 ( Werenicz 1989-06-27 ) これらの各特許はここで参考として組入れることとする。満足できる接着剤であるとして見出されたものはH.B.Fuller Company ( St. Paul, Minnesota在 ) からHL-1620及びHL-1358-XZPとして市販されているものである。これに代って、アタッチメント手段は熱（ヒート）ボンド、圧力ボンド、超音波ボンド、動的（ダイナミック）機械式ボンドもしくは他の適切なアタッチメント手段あるいはこれら既知の技術のアタッチメント手段の組合せであってよい。
【００１３】
トップシート２４は吸収性コア２８の身体に面した表面近くに置かれるのがよく、一部分もしくは全体がそこに接合されているかバックシート２６に既知技術のアタッチメント手段によって接合されているか、あるいはその両方となってよい。適当なアタッチメント手段はバックシート２６をダイヤパー２０の他の要素に接合するための手段に関して上述したものである。１つのこの発明の実施例では、トップシート２４とバックシート２６とはある位置で互に直接接合されていて、また別の場所では互に間接的に接合されていて、ダイヤパー２０の他の要素にそれらが直接接合されるようにしている。
【００１４】
トップシートはいくつかの開口８０を備えていて、そこを通って尿及び／又は糞、おりもの等（固体、半固体もしくは液体）のように滲出物の浸透が容易となっている。少くとも一次開口８０の寸法は所望の廃棄物のカプセル封じ性能を達成する上で重要である。一次開口が小さすぎると、廃棄物は開口を通過できず、その原因としては廃棄物の発生源と開口位置とが貧弱なまずい整列をしているか、糞、おりもの等のかたまりが開口８０よりも大きな直径をもっているかがあげられる。もし開口８０が大きすぎると、この物品からの再度のぬれ（リウェット、再度のもれ）によって汚染される肌の面積が増大される。一般に開口は約１０ｃｍ２と約５０ｃｍ２との間の面積をもつべきである。開口は約１５ｃｍ２と３５ｃｍ２との間の面積積をもつのが好い。
【００１５】
さらにトップシートは完全に、もしくは部分的に弾性体化されている ( elasticated ) か、短縮されていて、それによりトップシート２４とコア２８との間にボイドスペースを作るようにすることができる。この構造の例で弾性体化されたか短縮されたトップシートはもっと詳細に以下の文献に記述されていて、ここで参考として組入れることとする。U.S.Pat. No.4,892,536 ( Des Marais et al. 1990-01-09, " Absorbent Article Having Elastic Strands " ) U.S.Pat. No.4,990,147 ( Freeland, 1991-02-05 " Absorbent Article With Elastic Liner For Waste Material Isolation ). U.S.Pat. No.5,037,416 ( Allen at al. 1991-08-06 " Disposable Absorbent Article Having Elastically Extensible Topsheet " ) 及びU.S.Pat. No.5,269,775 ( Freeland et al, 1993-12-14 " Trisection Topsheets For Disposable Absorbent Articles and Disposable Absorbent Articles Having Such Trisection Topsheets "。
【００１６】
トップシート２４はコンプライアントで（外力を受けたときにたわむことができる）、軟らかな感触があり、着用者の肌に刺戟を与えないものであるのが好い。さらに、トップシート２４の少くとも一部分は液体透過性があり、その厚さを通って液体がすぐに浸透することができるものである。トップシート２４の少くとも一部分は液体と固体すなわち半固体に対しては非透過性であるか、着用者から遠ざかる方向にだけ滲出物に対して透過性をもっている。さらにトップシート２４は異なる透過性（パーミアビリティ）の領域を含んでいてよい。例えば、トップシート２４はダイヤパーの尿を含ませる領域（一般に前のウエスト領域及び／又は股（クロッチ）領域）では液体透過性であり、また開口８０を取り囲む領域では非透過性とすることができる。これが良好な尿取得特性を用意し、しかも開口８０を通った糞、おりもの等が着用者の肌に向って戻って行くことがないようにしている。トップシートの残りの部分はさらに複数の二次開口を含むことができ、この開口についてはU.S.Pat. No.5,342,338 ( Roe 1994-8-30 " Disposable Absorbent Article For Low-Viscosity Fecal Material " ) に詳細が記述されている。これらの二次開口は一般に各々が一次開口よりも小さい面積をもっているが、廃棄物が一次開口８０の領域ではないある領域でトップシート２４と接触する場合に、トップシート２４に浸透するための、低粘度の身体の廃棄物に対する手段を与えている。
【００１７】
適当なトップシート２４は広い範囲の材料から作られ、その中にはポーラスフォーム、網目状とした（レティキュレーテッド）フォーム、孔をあけた（アパーチャード）プラスチックフィルム、自然繊維（例えば、木材とか綿の繊維）の織ってあるか織っていないウエブ、合成繊維（例えば、ポリエステルとかポリプロピレンの繊維）、あるいは自然繊維と合成繊維との組合せが含まれる。もしトップシートが繊維を含んでいると、この繊維は、スプーンボンド、カーデッド、ウェットレイド、メルトブロウン、ヒドロエンタングルド、もしくは既知技術の他の処理が施されたものであってよい。１つの適切なトップシートはステープル（短繊維の）レングスポリプロピレンファイバのウエブで、International Paper Company ( Walpole, Massachuselts在 ) の一部門であるVeratec, Inc.によりＰ−８と呼ばれて製造されているものである。
【００１８】
適切な仕上げのフィルムトップシートは次の文献に記載されている。U.S.Pat. No.3,929,135, " Absorptive Structures Having Tapered Capillaries " , Thompson 1975-12-30 ) U.S.Pat. No.4,324,246 " Disposable Absorbent Article Having A Stain Resistant Topsheet " , ( Mullane, et al. 1982-04-13 ). U.S.Pat. 4,342,314 " Resilient Plastic Web Exhibiting Fiber-Like Properties ", ( Radel, et al. 1982-08-03 ). U.S.Pat. No.4,463,045 " Macroscopically Expanded Three-Dimensional Plastic Web Exhibiting Non-Glossy Visible Surface and Cloth-Like Tactile Impression ", ( Ahr, et al. 1984-07-31 ) and U.S.Pat. No.5,006,394 " Multilayer Polymeric Film " ( Baird 1991-04-09 ). 他の適切なトップシートは次により作られる。U.S.Pat. Nos. 4,609,518, 4,629,643 ( Curro et al. 1986-09-02 、及び1986-12-16 ) 、これら両方をここで参考として組入れる。
【００１９】
これらの仕上げされたフィルムは、The Procter & Gamble Company ( Cincinnati, Ohio在 )から" DRJ-WEAVE " として、またTredegar Corporation ( Terre Haute, Indiana在 ) から " CLIFF-T " として入手できる。
【００２０】
好ましいのは、トップシート２４が疎水性材料から作られているか、疎水性となるように処理されていて、着用者の肌が吸収性コア２８に含まれている液体から隔離絶縁されるようにすることである。もしトップシートが疎水性材料で作られているとすると、トップシート２４の少くとも上側表面は親水性となるように処理されていて、それにより液体がより速かにトップシートを通って移動するようにする。このことは、身体滲出物が、トップシート２４を通って引き込まれて吸収コア２８によって吸収されるのではなくトップシート２４から流れ出して行きそうなことをなくしている。トップシート２４は表面活性剤で処理することによって親水性となるようにできるし、あるいはトップシート内に表面活性剤を組込むことによってもよい。トップシートを表面活性剤で処理するための適切な方法はトップシート２４材料を表面活性剤でスプレイして、この材料を表面活性剤で浸すことを含む。このような処理と親水性とについての詳細な議論は以下の文献に含まれていて、ここで参考のために組入れることとする。すなわち、U.S.Pat. No.4,988,344 " Absorbent Articles with Multiple Layer Absorbent Layers " ( Reising, et al., 1991-01-29 ) 及びU.S.Pat. No.4,988,345 " Absorbent Articles with Rapid Acquiring Absorbent Cores " ( Reising, 1991-01-29 ) もっと詳細な議論で、トップシート内に表面活性剤を組み入れるのに適した若干の方法は、U.S. Statutory Invention Registration No. H1670 ( Aziz et al., 1997-07-01刊行 ) で見付けることができる。これらに代って、トップシートは孔をあけたウエブもしくはフィルムで疎水性のものを含むことができる。これは生産工程から親水性処理段階を除去するか、トップシート２４に対して疎水性処理を施すかあるいはその両方によって達成され、スコッチガード ( SCOTCHGUARD ) のようなポリテトラフルオロエチレン組成物とか、疎水性ローション組成物（以下に記載）のようなものが使
用される。このような実施例では、開口は大きさが十分であって、尿のような水溶性液体がさして抵抗することなく浸透できるものとなっている。
【００２１】
トップシート２４のいずれの部分も既知のローションでコーテングがされていてよい。適切なローションの例は次の文献に記述されているものを含む。すなわち、U.S.Pat. No.5,607,760 " Disposable Absorbent Article Having A Lotioned Topsheet Containing an Emollient and a Polyol Polyester Immobilizing Agent " ( Roe, 1997-03-04 ). U.S.Pat. No.5,609,587 " Diaper Having A Lotion Topsheet Comprising A Liquid Polyol Polyester Emollient And An Immobilizing Agent " ( Roe, 1997-03-11 ). U.S.Pat. No.5,635,191 " Diaper Having A Lotioned Topsheet Containing A Polysiloxane Emollient " Roe et al., 1997-06-03 ) , 及びU.S.Pat. No.5,643,588 " Diaper Having A Lotioned Topsheet " ( Roe et al. 1997-07-01 ) ローションは単独で機能することもできるし、上述の疎水性処理のように他の薬剤と組合せて機能してもよい。トップシートは抗菌性剤（アンチバクテリアエージェント）を含むか、それで処理されていてよく、この例はＰＣＴ公開No.WO 95/24173 " Absorbent Articles Containing Autibacterial Agents in the Topsheel For Odor Control " September 14, 1995-09-14 Theresa Johnson , に開示されている。さらに、トップシート２４か、バックシート２６か、トップシートかバックシートのいずれかの部分はエンボスを付けてあるかマッテ ( matte ) 仕上げがしてあるかあるいはその両方が施されていてより一層衣類に似た外観を与えるようにしてあってよい。
【００２２】
吸収性コア２８は一般に圧縮することができ、適合性があり（コンフォーマブル）、着用者の肌に対して刺戟性がなく、しかも尿とか他のある種の身体滲出物のような液体を吸収して保持する能力を備えているどんな吸収性材料を備えていてよい。この吸収性コア２８は広い範囲の寸法と形状で作られてよく（例えば矩形とか、砂時計形とか、Τ字形とか、非対称などでよく）、また広範な各種液体吸収性材料で使い捨てダイヤパーで普通に使われていたり、細かくした木材パルプのような他の吸収性物品で通常エアフェルトと呼ばれているものを備えていてよい。他の適切な吸収性材料の例には、セルローズ詰め物（ワッデング）；メルトブロウンポリマ（コンフォームを含む）；化学的にスティフネスを与えたか、修正を加えたか、クロスリンクしたセルローズファイバ；ティシューラップとティシューラミネートを含むティシュー；吸収性フォーム（発泡材）；吸収性スポンジ；超吸収性ポリマ；吸収性ゲル材料；あるいは何れかの他の既知の吸収性材料もしくは材料の組合せがある。
【００２３】
吸収性コア２８の構成と構造とは変形があってもよい。例えば、吸収性コアとか他の吸収性構造はカリバスゾーン（厚みゾーン）、親水性勾配、超吸収性勾配、あるいはより低い平均密度とより小さなバイアス重み取得ゾーンを有していてよいし、あるいはいくつかの層もしくは構造を備えていてよい。しかし、吸収性コア２８の吸収性能力は設計された負荷とダイヤパー２０の意図された使用とに適合したものでなければならない。
【００２４】
吸収性コアとして使用するための吸収性構造の例は次の文献に記述されていて、ここでは参考として組み入れることとする。すなわち、U.S.Pat. 4,610,678 " High-Density Absorbent Structures " ( Weisman et al., 1986-09-09 ) U.S.Pat. 4,673,402 " Absorbent Articles With Dual-Layered Cores " ( Weisman et al. 1987-06-16 ). U.S.Pat. 4,834,735, " High Density Absorbent Members Having Lower Density and Lower Basis Weight Acquisition Zones ", ( Alemany et al., 1989-05-30 ). U.S.Pat. 4,888,231 entitled " Absorbent Core Having A Dusting Layer " ( Angstadt , 1989-12-19 ). U.S.Pat. No.5,137,537 " Absorbent Structure Containing Individualized, Polycarboxylic Acid Crosslinked Wood Pulp Cellulose Fibers " ( Herron et al., 1992-08-11 ). U.S.Pat. 5,147,345 " High Efficiency Absorbent Articles For Incontinence Management " ( Young et al., 1992-9-15 ). U.S.Pat. No.5,342,338 " Disposable Absorbent Article For Low-Viscosity Fecal Material " ( Roe, 1994-08-30 ). U.S.Pat. No.5,260,345 " Absorbent Foam Materials For Aqueous Body Fluids and Absorbent Articles Containing Such Materials " ( Des Marais et al. 1993-11-09 ). U.S.Pat. No. 5,387,207 " Thin-Until-Wet Absorbent Foam Materials For Aqueous Body Fluids And Process For Making Same " ( Dyer et al. 1995-02-07 ). 及びU.S.Pat. No. 5,625,222 " Absorbent Foam Materials For Aqueous Fluids Made From high Intemal Phase Emulsions Having Very High Water-To-Oil Ratios " ( Des Marais et al., 1997-07-22 )参照。
【００２５】
ダイヤパー２０はトップシート２４とバックシート２６との間に置かれたサブレイヤを含むこともできる。このサブレイヤは身体からの滲出物を受け入れるか、保存するか、不動とするかができるどんな材料もしくは構造であってよい。したがって、サブレイヤは単一の材料か、互に他と動作上関係付けられる多数の材料を含んでいてよい。さらに、このサブレイヤはダイヤパー２０の他の素子と一体的に統合されていてよいし、ダイヤパー２０のいくつかの要素と直接または間接に接合されたいくつかの別個の要素であってもよい。さらに、このサブレイヤはコア２８とは分れている構造を含むことができるし、あるいはコア２８の少くとも一部分の部品であってもよい。
【００２６】
サブレイヤとして使用するのに適した材料は、大きなセルの開いた発泡材（ラージセルオープンフォーム）、マクロポーラス対圧縮性の織られていないハイロット、開いたまた閉じたセルフォーム（マクロ及び／又はマイクロポーラス）の大寸法粒状形態のもの、ハイロットの織られていないもの、ポリオレフィン、ポリスチレン、ポリウレタンフォームもしくは粒子、複数の垂直配向したファイバのループとなったストランド構造、パンチ孔もしくは押圧部を有する上述の吸収性コア構造、等々を含む。（ここで使っている“マイクロポーラス”という用語は毛細管作用によって液体を移送できる材料を言う。用語“マクロポーラス”は、液体の毛細管移送を実効あるものとするには大きすぎる孔（ポア）をもつ材料を言い、一般的には直径が約０．５ｍｍよりも大きく、より特定すれば直径が約１．０ｍｍよりも大きい孔（ポア）をもつものである。貯蔵素子（ストレージェレメント）の一実施例は機械式固定用ループランデング素子（loop landing element）を含んでいて、その圧縮していない厚さは約１．５ｍｍであり、ミネソタ州ミネアポリス在3M CorporationからXPL-7124として入手できるものである。別の実施例は６デニールのクリンプした（波形模様とした）、レジンボンドした織っていないハイロットであり、１１０グラム／平方メートルで、圧縮していないときの厚さが７．９ｍｍのものを含み、これはジョージア州レン在 Glit Companyから入手できる。他の適切な吸収性及び非吸収性貯蔵素子は欧州特許出願番号EP O 847 738 A1 " Disposable Absorbent Article Having Capacity to Store Low-Viscosity Fecal Material " ( 1998-06-17, Roe ) に記述されていて、この文献をここで参考に組み入れる。さらに、サブレイヤ、もしくはそのいずれかの部分はローションまたは他の物質を含んでいるか、それでコーテングしてあり、性能の変更とか素子の他の特性とかを加えたり、強化したり、変えたりするようにしてよい。
【００２７】
ダイヤパー２０は少くとも１つの弾性的なウエストフィーチャ（外形）３４を備えていて、これが改良された適合（フィット）と閉じ込め（コンテインメント）とを用意するように助けている。弾性的なウエストフィーチャ３４は一般に弾性的に伸長拡大し、着用者のウエスト（腰部）に動的にフィットするように接触をとる。この弾性的なウエストフィーチャ３４は吸収性コア２８の少くとも１つのウエストエッジ（縁）から外側に向けて少くとも長手方向に伸びるのがよく、またダイヤパー２０の端縁５２の少くとも一部分をほぼ形成しているのがよい。使い捨て可能なダイヤパーはしばしば２つの弾性的なフィーチャをもつように構築され、その１つは第１のウエスト領域３６内に置かれ、また１つは第２のウエスト領域３８内に置かれる。さらに、弾性的なウエストフィーチャ３４もしくはその構成要素はいくつかの要素でダイヤパー２０に取付けられたものを備えているが、弾性的なウエストフィーチャ３４はダイヤパー２０の他の要素（バックシート２６、トップシート２４、あるいはバックシート２６とトップシート２４との両方といった要素）の延在するもの（エクステンション）として構築されてよい。
【００２８】
この弾性的なウエストフィーチャ３４は多数の違った構成で構築されていてよく、その中には次の文献で記述されたものを含み、ここで参考として組み入れることとする。U.S.Pat. No.4,515,595 ( Kievit et al.1985-05-07 ). U.S.Pat. No.4,710,189 ( Lash 1987-12-01 ). U.S.Pat. No.5,151,092 ( Buell 1992-09-09 ). 及びU.S.Pat. No.5,221,274 ( Buell 1993-06-22 ) 他の適当なウエスト構成は次の文献に記載されているようなウエストキャップフィーチャであり、ここで参考として組み入れることとする。すなわち、U.S.Pat. No.5,026,364 ( Pobertson 1991-06-25 ) 及びU.S.Pat. No.4,816,025 ( Foreman 1989-03-28 )参照。
【００２９】
ダイヤパー２０はまた固定用（ファスナ）システム４０を含むことができる。固定用システム４０は第４のウエスト領域３６と第２のウエスト領域３８とを重ねた構成で維持して、着用者の上にダイヤパー２０を保持するために、ダイヤパー２０の周囲のあたりで横方向の張力を与えるようにするのが好い。固定用システム４０はテープタグ及び／又はフックとループの固定用（ファスナ）部品を備えているのがよく、がしかしもとより他の既知の固定用手段も一般に受け入れることができる。固定用手段の若干の例は次の文献に開示されていて、これらの文献を参考としてここで組み入れることとする。U.S.Pat. 3,848,594 " Tape Fastening System for Disposable Diaper " ( Buell 1974-11-19 ). U.S.Pat. B1 4,662,875 " Absorbent Article " ( Hirotsu et al. 1987-05-05 ). U.S.Pat. 4,846,815 " Disposable Diaper Having An Improved Fastening Device " ( Scripps on 1989-07-11 ). U.S.Pat. 4,894,060 " Disposable Diaper With Improved Hook Fastener Portion " Nestegard 1990-01-16 ). U.S.Pat. 4,946,527 " Pressure-Sensitive Adhesive Fastener And Method of Making Same " ( Battrell 1990-08-07 ) 及び、ここで前に参考としたU.S.Pat. 5,151,092 Buell 1992-09-09 ) 及びU.S.Pat. 5,221,274 ( Buell 1993-06-22 )参照。ファスナシステムは、U.S.Pat. 4,963,140 ( Robertson et al. 1990-10-16 ) に開示されている。使い捨て構成で物品を保持する手段を用意することもできる。これに代る実施例では、着衣の対向する側に縫い付けるか溶接してパンツを作ることとしてよい。これがこの物品を頂度運動パンツのようにプルオン形（はく形式の）ダイヤパーとして使用できるようにする。
【００３０】
ダイヤパー２０はまたサイドパネル３０を備えていてよい。このサイドパネル３０は弾性的もしくは伸長可能で、より着心地がよくしかも輪郭がフィットとするようになっていて、最初にダイヤパー２０を着用者に心地よくフィットさせて、ダイヤパー２０に滲出物がロードされた後もなお、このフィットを着用中ずっと維持するようにする。これができるのは弾性的としたサイドパネル３０がダイヤパー２０の側部を拡張して接触をとるようにしてあるからである。サイドパネル３０はまたダイヤパー２０をもっと効果的に適用できるようにしており、その理由は、もしダイヤパーが一方の弾性化したサイドパネル３０を他よりも適用の際にもっと余計に引き延ばしたとしてもなお、ダイヤパー２０は着用中に“自己調節”をすることによる。
【００３１】
この発明のダイヤパー２０は第２のウエスト領域３８内に置かれたサイドパネル３０を有していて、ダイヤパー２０は第１の領域３６もしくは第１のウエスト領域３６と第２のウエスト領域３８との両方に置かれたサイドパネル３０を備えている。サイドパネル３０はいずれかの適当な構成で作られていてよい。弾性化されたサイドパネルをもつダイヤパーの例は、下記の文献に記述されており、これらの文献を参考としてここに組み入れることとする。U.S.Pat. 4,857,067, " Disposable Diaper Having Shirred Ears " ( Wood, et al., 1989-08-15 ). U.S.Pat. 4,381,781 ( Sciaraffa, et al. 1983-05-03 ). U.S.Pat. 4,938,753 ( Van Gompel, et al. 1990-07-03 ). 前掲のU.S.Pat. No. 5,151,092 ( Buell 1992-09-09 ) 及びU.S.Pat. 5,221,274 ( Buell June 22,1993-06-22 ) U.S.Pat. 5,669,897 ( LaVon, et al. 1997-09-23 ) " Absorbent Articles Providing Sustained Dynamic Fit " ) U.S. 特許出願 No. 08/155,048 " Absorbent Article With Multi-Directional Extensible Side Panels " 1993-11-19 ) , Robles, et al )参照。
【００３２】
ダイヤパー２０はさらにレッグカフス（脚の折り変し）３２を含んでいるのがよく、これが液体及び他の身体滲出物に対する改良された閉じ込め（コンテインメント）を与えている。レッグカフスはまたレッグバンド（脚バンド）、サイドフラップ、パリヤカフス、もしくは弾性カフスとも呼ばれる。U.S.Pat. 3,860,003は使い捨て可能なダイヤパーを記述しており、これは弾性化したレッグカフス（ガスケットとして作用するカフス）を与えるためにサイドフラップといつくかの弾性部材を有する縮めることができる（コントラクタブル）脚の開口を与えている。U.S.Pat. 4,808,178及び4,909,803 ( Aziz et al. それぞれ1989-02-28及び1990-03-20 ) は使い捨て可能なダイヤパーを記述していて、そこれは脚領域の閉じ込めを改良する“直立した（スタンドアップ）”弾性化フラップ（バリヤカフス）を有している。U.S.Pat. 4,695,278 及び4,795,454（それぞれLawson, 1987-09-22及びDragoo, 1989-01-03 ) はガスケット作用のあるカフスとバリヤカフスとを含む二重のカフスを有する使い捨て可能なダイヤパーを記述している。ある実施例では、レッグカフスの全部または一部を以下に記述するようなローションで処理するのが望ましい。
【００３３】
この発明の実施例はまたポケットを含むことができて、廃棄物を受入れて含むのにあて、スペーサを含むことができて廃棄物用のボイド（空隙）を与え、バリヤ（障壁）があってこの物品内での廃棄物の動きを限定するのにあて、コンパートメント（小部屋）もしくはボイドがあってダイヤパー内にたまった廃棄物を受入れて含むようにし、あるいはこれらに類するものか組合せを含めるようにできる。吸収性製品で使用するためのポケットとスペーサの例は以下の文献に記述されていて、これらのすべての引用文献を参考としてここに組入れる。U.S.Pat. 5,514,121 ( Roe et al. 1996-05-07 ) " Diaper Having Expulsive Spacer ) U.S.Pat. 5,171,236 ( Dreier et al 1992-12-15 ) , " Disposable Absorbent Article Having Core Spacers " ) , U.S.Pat. 5,397,318 ( Dreier 1995-03-14 , " Absorbent Article Having A Pocket Cuff " ) , U.S.Pat. 5,540,671 ( Dreier 1996-07-30, " Absorbent Article Having A Pocket Cuff With An Apex " ) , 及びＰＣＴ出願WO 93/25172 ( 1992-12-03 公開 ) , " Spacers For Use In Hygienic Absorbent Articles And Disposable Absorbent Articles Having Such Spacer " ) 及びU.S.Pat. 5,306,266, " Flexible Spacers For Use In Disposable Absorbent Articles " , ( Freeland 1994-04-26 )。コンパートメントもしくはボイドの例は次に開示されている。U.S.Pat. 4,968,312, " Disposable Fecal Compartmeniog Diaper " , ( Khan, 1990-11-06 ). U.S. Pat. 4,990,147, " Absorbent Article With Elastic Liner For Waste Material Isolation ", ( Freeland 1991-02-05 ) U.S.Pat. 5,62,840, " Disposable Diapers " , ( Holt et al., 1991-11-05 ). 及びU.S.Pat. 5,269,755 " Trisection Topsheets For Disposable Absorbent Articles And Disposable Absorbent Articles Having Such Trisection Topsheets " , ( Freeland et al., 1993-12-14 )。適当な横方向バリヤの例は次に記述されている。U.S.Pat. 5,554,142 " Absorbent Article Having Multiple Effective Height Transverse Partition " 1996-09-10, Dreier et al. ) , PCT Patent WO 94/14395 " Absorbent Article Having An Upstanding Transverse Partition " 1994-07-07, Freeland , et al ). 及びU.S.Pat. 5,653,703 " Absorbent Article Having Augular Upstanding Transverse Partition , " 1997-08-05, Roe, et al. )。
【００３４】
この発明の好ましい実施例は身体滲出物をとらえて離さず（エントラップメント）にするか、封じ込め（エンキャプシュレーション）にするかにとくに適していて、これによって着用者の肌が廃棄物によって汚染される量と面積とが小さくなる。所望レベルの性能を達成するためには、とくにそれが糞、おりもの等のような粘性のある身体の廃棄物にとってそうなるようにするには、少くとも２つの機能が実行されなければならない。第１に、ダイヤパーは、着用者からの廃棄物の出口点（例えば肛門）に対して、ダイヤパーの受入れ要素（例えばトップシートの開口）の近くに維持するための手段を備えていなければならない。第２に、ダイヤパーは圧力を加えた状態でも廃棄物に対するボイドスペース７０を提供しなければならず、この圧力は一般に着用者が椅子に座った位置にあるときに、この物品のクロッチ（股）とバトック（尻）の領域上で着用者によって生成されるものである。
【００３５】
圧力下でも維持できるボイドスペース７０を用意するために、この発明の好ましい実施例はいくつかのスペーサもしくはスペース形成用部材６０を含んでいる。スペース形成用部材６０はトップシート２４もしくは他のカバー層を吸収性コア２８及び／又は他の下側の層（サブレイヤ、取得レイヤなどのような層）から遠ざけてスペースを作ることが意図されている。しかしながら、スペース形成用部材６０はダイヤパー２０のいずれか他の２つの要素を離してスペースを作ることができ、その中には、限定するわけではないが、トップシート２４とバックシート２６、取得層とコア層２８、コア層２８とバックシート等々が含まれている。非限定の、例示のスペーサは上記組入れた参考文献に開示されている。
【００３６】
スペース形成用部材６０は適切な寸法及び／又は形状であればどんなものでもよい。好ましい実施例では、スペース形成用部材６０は身体に面する側（ボディフェーシングサイド）６２とバックシートに面する側（バックシートフェーシングサイド）６４と約０．５ｃｍないし約３．０ｃｍの厚さΤを使用時に有している。（ここでスペーサ（スペース形成用部材）６０の厚さΤというのは身体に面する側と、衣服に面する側６５との間のスペーサ６０の距離である。）さらに、スペーサ６０は少くとも約１０ｃｍ３ないし約１５０ｃｍ３の間のボイドスペース７０を、好ましいのは約２５ｃｍ３ないし約７５ｃｍ３の間のボイドスペース７０を使用時に作り、しかも維持することである。また重要なことは、ボイド空間７０の横方向寸法Ｘは糞、おりもの等を収容するのに十分な大きさではあるが、十分に狭く、スペース形成用部材６０が着用者の座骨（イスキア）を支持できることである。好ましいのは、ボイドスペース７０の横方向寸法Ｘ（これは着用者の肛門に対応する面積内でスペーサ６０によって定義される）が約１ｃｍないし約５ｃｍの間であり、もっと好ましいのは約１．５ｃｍと約３．５ｃｍの間にあることである。
【００３７】
スペーサ６０の形状はクリティカル（重要）なものではないが、楕円形とか“キーホール（鍵孔）”形スペーサ（例えば図４に示したスペーサ）が実用上よく作用することが見付かっている。このようなスペーサ６０が実現されると、スペーサ６０は一般にダイヤパー２０のクロッチ領域３７内に置かれて、スペーサ６０の第１の領域１２０が着用するとダイヤパー２０の前ウエストに向けて置かれるようになり、またスペーサ６０の第２領域１２５が着用時にダイヤパーの後ウエストに向くように置かれる。これに代って、Ｕ字形のスペーサがある実施例での使用に適している（この例では着用時にダイヤパー２０の後ウエスト領域に向けてＵ字形の開放端が向くようになるのがよい）。さらに、スペーサ６０は閉じた周辺６５をもつことができるか、あるいは開口、孔もしくはチャンネルで、糞、おりもの等ボイドスペース７０からスペーサ壁６２を通ってスペーサ６０の周辺６５に至って延びるものを備えることができる。このような実施例はボイドスペース７０からダイヤパー２０の他の部分へ糞、おりもの等を分散させることができる。
【００３８】
スペース形成用部材は人間である着用者によって着用されることになる吸収性物品で使用するのに適している材料もしく材料の組合せを備えている。例えばスペース形成用部材６０はフォーム（発泡材）、織ってあるか織っていないウエブ、熱可そ性材料、有機材料、繊維（ファイバ）、ゲルゴムもしくは合成ゴムなどを含むことができる。一つの好ましい実施例では、スペース形成用部材６０は次のような吸収性フォームを備えている。すなわち１６：１水／油エマルジョンから作られ、ガラス遷移温度が約１０℃であり、乾燥状態で約４０、また湿った状態（すなわち水で飽和しているとき）で約３０゜の圧縮を約１．０ｐｓｉの印加圧力の下で有するものである。したがって、ある実施例では、湿った状態での約１．０ｐｓｉの下にある圧縮は乾燥状態での約１ｐｓｉの下での圧縮よりも小さい。
【００３９】
好ましい実施例では、スペース形成用部材６０は比較的軟か（ソフト）であるが、弾力性があり、赤ちゃんの動き及び／又はスペース形成用部材６０上に座るか横たわるかしている赤ちゃんの重さによる一般的な力に耐えることができる。したがってスペース形成用部材６０は少くとも０．５ｐｓｉそして好ましくは約１．０ｐｓｉに圧縮が約６０％を越えることなく、また好ましいのは乾燥した状態と湿った状態の両方で約３０％を越すに、耐えることできなければならない。
【００４０】
さらに別な実施例では、スペース形成用部材６０は使用の際に活性化可能なものである。すなわち、スペース形成用部材６０は一つの構成でダイヤパー２０内に格納されている。あるいは、スペース形成用部材６０もしくは周囲の構造の構成を変える何かの出来事か材料によって勃起されていて、身体滲出物を受取り及び／又は格納するための望ましい構成を備えるようようにする。例えば、スペース形成用部材６０は、水、尿、糞おりもの等、酵素あるいは着用者の身体もしくは身体からの滲出物と関係した他の手段に触れるときには拡がるような材料を含んでいてよい。温度、ｐＨ、及び塩濃度の変化もまたスペース形成用部材６０を活性化できるトリガである。したがって着用者が失禁をすると、スペース形成用部材６０は厚さを増すことができて、ダイヤパー２０内でそれ自体の形状とか他の配向を変えることができて、ボイドスペース７０を用意して、その中に尿及び／又は糞、おりものが流れ込むことができる。
【００４１】
好ましい実施例では、スペース形成用部材６０の少くとも一部がトップシート２４と接合している。これが一次開口８０がスペーサ６０のボイド空間７０と使用時に整列を保つことを助けている。スペース６０の少くとも一部がコア２８、サプレイヤもしくはバックシート２８といった、スペーサ６０の下側にある構造の少くとも一部と接合されているのが好い。いずれの場合も、スペーサ６０は既知の手段によって直接もしくは間接的に接合されていてよい。一般的な接合手段には、接着剤、熱、圧力、静的、磁気的、スナップ、フックとループのファスナなどを含んでいる。
【００４２】
開口のあるトップシートとスペースを形成する部材６０とを含んでいるダイヤパーの利点は、はもし開口８０が着用者の肛門とスペーサ６０により用意されたボイドスペース７０とが使用時全体にわたって（あるいは少くとも着用者が排便するまでは）整列がとられたまま留まっていないとすると著しく低減される。したがって、この発明のダイヤパー２０は着用者の肛門との整列を開口８０が維持するための手段を備えているのがよい。好ましいのは、ダイヤパー２０は今日的な話題となっている（トピカルな）接着剤もしくは身体に接着する組成物で使用中に開口８０を場所に保持するように作用するものを含むことである。図２に示したように、今日的な話題となっている接着剤９０はトップシート２４上に置かれているのがよい。しかしながら、身体に接着する組成物９０はトップシート２４もしくは吸収性物品の他の要素を作りあげている材料と一体的とすることもできるし、あるいは、吸収性物品の全部もしくはいずれかの一部に直接または間接に置かれた別個の材料であってもよい。さらに、身体に接着する組成物９０は吸収性物品のいずれかの部分上に置かれていてよく、そのときのパターンもしくは構成は、限定するのではないが、線、ラトライプ、ドットなどを含んでいる。
【００４３】
好ましい実施例では、今日的な話題となっている接着剤９０は開口８０の周りの連続するリング内でトップシート２４の上に置かれる。しかし、実施例では、このトピカルな接着剤は開口８０の一部分だけを囲んでいるか、開口８０に直接は隣接していない位置に置かれるか、あるいはその両方であって、例えばトップシート２４の縁の周りとか、レッグカフス３２の上とか、ウエスト領域の一方か両方といったところに置かれる。これに代って、トピカルな接着剤９０はスペーサ６０自体の上に置かれてもよい。もしそうされると、トピカルな接着剤９０はスペーサ６０の露出した表面上に置かれるか、開口、スリット、その他の網目状の（レチキュレートした）層の下に置かれて、それによりトピカルな接着剤９０が使用時に着用者に接触できるようにする。
【００４４】
身体接着用組成物９０は着用者の肌に取り外し可能に接着することができるいくつでもよい数の物質を含むことができる。さらに、身体接着用組成物９０はゲル、ローション、フィルム、ウエブ等々の形式であってよい。適当な身体接着用組成物の例には、接着剤、ゼラチン、ペトロラータム（グリセリン）、ワックス（シリコーンもしくは石油ワックスなど）、オイル（シリコーンもしくは石油応用オイルなど）、スキンケア組成物、もしくはその成分で以下に記述するようなもの、及び類似品を含んでいる。適当なトピカルな接着材は、それに限定するのではないが、次のものを含んでいる：ヒドロゲルもしくはヒドロコロイド接着剤でアクリルベースのポリマ接着剤とその類似品。（ヒドロゲル及び／又はヒドロコロイド接着剤の若干の例はU.S.Pat. 4,231,369 ; 4,593,053 ; 4,699,146 ; 4,738,257 ; 及び5,726,250に開示されていて、その各々をここで参考に組入れる。）トピカルな接着剤はまた“医用接着剤”を含むことができ、これは皮膚のような生物学的組織で使用することがコンパチブル（親和性のあるもの）となっている。アクリル系医用接着剤で身体に接着する組成物８０として使用するのに適したものにはAdhesive Research.Inc., Glen Rock. PA 在MA-46, MA-312, " MTTM " High MVTR接着剤、及びAS-17として入手できるものを含む。同社からのSB-2といったゴム応用医用接着剤もまた適切なものである。他の接着剤の例の中には、Dow Coming Medical Adhesive ( Type B ) ( Dow Coming, Midland. Mlから入手可能) " MEDICAL ADHESIVE " ( Hollister Inc., Libertyville, llからのもの ) 3M Spray Adhesives #79,76,77及び90 ( the 3M Corp., St. Paul, MNから入手可能 ) 及び " MATISOL "液体接着剤 ( Femdale Laboratories Femdale, Ml.から入手可能 ) が含まれる。他の医用接着剤は下記の文献に開示されていて、ここで参考として組み入れることとする。
【００４５】
U.S.Patent 4,078,568 ; 4,140,115 ; 4,192,785 ; 4,393,080 ; 4,505,976 ; 4,551,490 ; 4,768,503であり、また、ポリアクリレート及びポリメタルアクリレート、ヒドロゲル接着剤はU.S.Pat. 5,614,586及び5,674,275に開示されている。さらに別の接着剤の例はポリビニルピロリドンと多機能アミン含有ポリマであり、WO 94 / 13235 A1に開示されている。（こういった参考文献の各々の開示はここで参考として組入れるものとする。）別の身体接着用手段で上述したものに加えて、あるは代って使用してもよいものに静電気、吸引、及び類似のものを含んでいる。いずれの場合も、身体接着用組成物９０は蒸気を通す（すなわち通気性である）ことができ、肌と親和性があるか肌にフレンドリィであるとする。さらに、身体接着剤９０は少くとも部分的には疎水性であり、好ましいのは６０％、より好ましいのは８０％の接着剤の重量が疎水性成分で構成されていることである。しかし、親水性接着剤もこの発明のある種の実施例では考慮されている。
【００４６】
未決 EPO出願Nos. 96120738.8 , 97110730.5 , 97120336.9（いずれも参考として組み入れる）に記述されている好ましい実施例では、肌から身体接着用組成物を除去することは比較的痛みを伴うことがない。これらの実施例では、身体接着剤もしくは身体接着用組成物は温度３７℃（１００゜Ｆ）の温度で弾性係数を有しそれを略してＧ’３７とし、また温度３７℃（１００゜Ｆ）で粘性係数Ｇ”３７を有している。この接着剤はさらに動的な弾性的な振舞いを有していてΔＧ’３７と定義され、これは周波数１００ｒａｄ／ｓｅｃにおけるＧ’３７と周波数１ｒａｄ／ｓｅｃにおけるＧ’３７との差である。また動的な粘性の振舞いΔＧ’３７を有していて、これは周波数１００ｒａｄ／ｓｅｃにおけるＧ”３７と周波数１ｒａｄ／ｓｅｃにおけるＧ”３７との差である。さらに身体用接着材は次の条件を満足するのが好ましい。
【００４７】
Ｇ’３７（１ｒａｄ／ｓｅｃ）は、約１５００Ｐａないし約２００００Ｐａの範囲であり、好ましいのは約１５００Ｐａないし約１５０００Ｐａの範囲であり、最も好ましいのは約３０００Ｐａないし約１００００Ｐａの範囲である。
【００４８】
Ｇ”３７（１ｒａｄ／ｓｅｃ）は、約１００Ｐａないし約１５０００Ｐａの範囲であり、好ましいのは約１００Ｐａないし約１００００Ｐａの範囲であり、最も好ましいのは約３００Ｐａないし５０００Ｐａの範囲である。
【００４９】
比Ｇ’３７（１ｒａｄ／ｓｅｃ）／Ｇ”３７（１ｒａｄ／ｓｅｃ）は、約３ないし約３０の範囲である。
【００５０】
比［Ｇ’３７（１００ｒａｄ／ｓｅｃ）−Ｇ”３７（１００ｒａｄ／ｓｅｃ）］／［Ｇ’３７（１ｒａｄ／ｓｅｃ）−Ｇ”３７（１ｒａｄ／ｓｅｃ）］は、約０．５よりも小さくはなく、好ましいのは約０．７ないし３の範囲であり、最も好ましいのは約１ないし約１．８の範囲である。
【００５１】
比ΔＧ’３７／Ｇ’３７（１ｒａｄ／ｓｅｃ）が、約１．５よりは大きくなく、好ましいのは約０．８よりも大きくないかあるいは、
ΔＧ’３７が  約１００００Ｐａよりは大きくなく、好ましいのは５０００Ｐａよりも小さく、最も好ましいのは約２０００Ｐａよりも小さいかであるか、あるいは、両方である。
【００５２】
比Ｇ’３７／Ｇ”３７の値は、少くとも周波数範囲約１ｒａｄ／ｓｅｃから最大１００ｒａｄ／ｓｅｃまで好ましいのは約３．３以上であるか、より好ましいのは約５以上であるか、最も好ましいのは約１０以上であるが約５０を越えることがなく、好ましいのはその周波数範囲のどこででも約３０である。
【００５３】
所望の特性を得るためには、身体接着用組成物９０は、次の組成をとることができる。０．５ないし２０％、好ましいのは５ないし１５％のマクロ分子ポリメリック物質もしくは以下に述べる可そ剤に溶けることができるか増水可能（スウェラブル）な物質の混合物を重量で含むこと。限定的な例ではないが、このようなマクロ分子もしくはポリメリック物質は天然物及び／又は合成物であってよく、例えば天然ゴムとか天然ゴム及びゼラチンのような誘導体、それらの誘導体とアルギナード；ポリビニルアルコール；ポリエチレンオキサイト；ポリビニルピロリドン（ＰＶＰ）もしくはポリビニルエーテル、そのコポリマ及び誘導体；セルローズ誘導体；ブロック、  コポリマ、熱可そ性エラストマ及び好ましいのはスチレニック  ブロック  コポリマ及びもっと好ましいのは水素添加したグレードのスチロール／エチレン・ブチレン／スチロール（ＳＥＢＳ）、スチレン／イソプレン／スチレン（ＳＩＳ）、及びスチロール／エチレン・プロピレン／スチロール（ＳＥＰＳ）で成る。さらに、好ましい身体接着用組成物は重量で４５ないし９９．５％、好ましいのは重量で５１ないし９９．５％の可そ性物質もしくは可そ性物質の混合物であり、室温では液体のものである。限定するわけではない例として、可そ剤は水、各種アルコール（とくにグリセロールのようなもの）、グリコール及びそのエーテル、ポリグリコール、液体ポリブテン、フタレート、アジペート、ステアレート、パルミテート、セバケートあるいはミリステートのようなエステル、植物油、鉱物油のような天然及び合成オイル、あるいはその組合せである。さらに、身体用接着剤は重量で０％ないし５０％の組成物、好ましいのは重量で０％ないし６０％のマクロ分子ポリメリック物質で粘着性のあるレジンのものを含んでいて、このレジンの主な特徴は合成ポリマに基づいた系内でとくにＴｇを特殊仕様に合わせられることである。また、好ましい身体用接着剤は重量で０ないし１０％、もっとよくのは０ないし５％のゲルとして作用しかつ安定化するための物質と、ゲル形成プロセスとを含んでいて、それが親水性もしくは疎水性の液体可そ剤の両方についてのものとなっていることである。こういったものは油状の系について例えはＣ８ないしＣ２２の脂肪酸を、その金属塩とそのポリオキソ誘導体；ラノリン誘導体；シリカ；ベントナイト、モントモリロナイトとそれらの誘導体；ポリアミド、ワックスもしくはその混合物であってよい。
【００５４】
共通の添加剤で保存剤として知られているもの、すなわち、酸化防止剤、抗ＵＶ、色素、ミネラル充填剤、レオロジィ修正剤、などはまたそれぞれ１０％までの量を含んでいてよい。また、化学的なクロスリンクが系内で形成されるときは、クロスリンキングエージェントが重量で最大５％までの量で好ましい状態で存在できる。化学的クロスリンキングはまた酸性ポリアクリックスとポリサッカライドとの間の反応の場合のように異なる機能を有するポリマの相互中性化によって形成されるようにできる。
【００５５】
身体接着用組成物として、それと一緒に、あるいはそれに代って使用してもよい適切な肌手入れ（スキンケア）組成物はカテゴリィＩアクティブであって、米合衆国Faderal Food and Drug Administration ( FDA ) Fentative Final Monograph on Skin Protectant Drug Products for Over-the-Counter Human Useによって規定されたものを含んでおり、これには現在次のものが含まれている：アラントイン、水酸化アルミニウムゲル、カラミン、ココアバター、ジメチコン、たら（ cod ）肝油(組合せ使用)、グリセリン、カオリン、ペトロラタム（ワセリン）、ラノリン、鉱物油、さめ（ Shark ）の肝油、白色ワセリン、滑石（タルク）、トピカルスターチ（澱粉）、サク酸亜鉛、炭酸亜鉛、酸化亜鉛、その他類似品の他の可能性のある有用な材料はカラゴリィIIIであって、
であり、これには現在次のものが含まれている：生きているイースト細胞誘導体、アルディオキサ、サク酸アルミニウム、マイクロポーラスセルローズ、コレカルシフェロール、コロイド状オートミール、システイン  ハイドロクロテイド、デクスパンタノール、Peruvianバルサムオイル、プロテイン  ハイドロリセート、ラセメチオニン、重炭酸ナトリウム、ビタミンＡ、その他の類似品。ＦＤＡが列挙したスキンケア構成要素は現在市販されていて入手可能なスキンケア製品で利用されており、製品には、" A AND D " 軟骨 " VASELINE " ペトロレウムジェリィ, " DESITIN " Diaper Rash軟骨及びDaily Care軟骨 " GOLD BOND " 医用赤ちゃんパウダ, " AQUAPHOR " 治療用軟骨 " BABY MAGIC " 赤ちゃん用ローション " JOHNSON' S ULTRA SENSITIVE " 赤ちゃんクリームJohnsonの赤ちゃんローション、口唇用バルム剤等々がある。
【００５６】
他の適当なスキンケア組成物（例えばローション）は詳細に次の文献に記載されていて、ここではそれらを参考として組入れる。U.S.Pat. 5,643,588 ; U.S.Pat. 5,607,760 ; U.S.Pat. 5,609587 ; 及び U.S.Pat. 5,635,191参照。
【００５７】
スキンケア組成物はまた糞、おりもの、等の化学変質剤、ｐＨ制御剤、酵素抑制剤、抗菌剤、臭気吸収剤（シクロテクストリンとか活性炭素など）、あるいは抗菌剤を含む。酵素抑制剤の例にはプロアテーゼ抑制剤（例えば、トリアセチン）、ウレアーゼ抑制剤、等を含む。クエン酸は適切なプロトン供与ｐＨ制御剤である。１つの好ましい実施例では、スキンケア組成物は約５７重量％のグリセリン（ペトロラータム）、約４２重量％のステアリルアルコール、および約１重量％のアロエ抽出物を含むものを開口８０の周りでトップシート２４の周りに、約５ｍｇ／ｃｍ２の追加レベルとして適用したものである。
【００５８】
実施例
この発明の１つの好ましい実施例は図２に概略を示したような吸収性物品である。この吸収性物品は織っていない（アンウーブン）トップ−シート２４（例えばVeratec,Inc.から入手できるＰ−８）を備えていて、このトップシートには楕円開口（アパーチャ）８０があり、この開口は約１７ｃｍ２の開いた面積を有している。（ここでいう用語“開いた面積（オープンエリア）は開口の平面図についてのものである。）好ましい実施例では、開口８０は長さ寸法Ａが約６ｃｍであり、横方向寸法βが約３．５ｃｍである。開口８０は着用者の肛門と関係したダイヤパー２０のほぼ領域内に位置しているのがよい。ＰＧ−７０接着剤９０の層（この接着剤は英国コベントリィ在First Water Co.からの１ｍｍ厚さのオープンセルフォーム基材で利用できる）が開口８０をすぐに囲んでいる領域内でトップシート２４に適用され、その厚さは約１ｍｍ、幅は約１．５ｃｍの帯となっている。
【００５９】
吸収性フォームスペーサ６０がトップシート２４とバックシート２６との間に置かれ、ダイヤパー２０の下側に置かれた構造（例えばコア２８）に固定されて、ボイドスペース７０がスペーサ６０により作られて、それがトップシート２４内の開口８０と整列されるようにする。スペーサ６０は“鍵孔”幾何学的形状を、図４に示すように、している。さらに、スペーサ６０は厚さΤが約１．２５ｃｍ、ボイドスペース面積が約２４ｃｍ２、幅Ｗが約３．５ｃｍとなっていて、これが肛門にほぼ対応している領域内にあり、またボイドスペース体積は約３３ｃｍ３である。（ここでいう“ボイドスペース面積”はボイドスペース７０の平面図の面積である。ここでいうボイドスペース体積はスペーサ６０によって作り出されるボイドスペースの体積である。）ボイドスペース７０は約８．４ｃｍの長さＹと、約３．９ｃｍの幅Χをもっているのがよい。スペーサ６０は約６０％以上は圧縮されず、もっとよいのはスペーサ６０が乾燥状態であるときに１．０ｐｓｉの荷重の下で３０％しか圧縮されないことであり、また湿ったあるいは例えば水で飽和したときに１．０ｐｓｉの荷重の下で約６０％、もっとよいのは３０％を越えて圧縮されないことである。
【００６０】
スペーサ６０は、吸収性フォームで１６：１水／油の、エマルジョンから作られたものを含んでいるのがよく、そのガラス遷移温度は約１０℃であり、乾燥状態で約４３％、また湿った状態で約３５％の圧縮を約１．０ｐｓｉの圧力を加えたときに有するものである。この吸収性フォームは、図４に示したような“鍵孔”形状を有する２つの０．６２５ｃｍ厚さの層にダイカットされる。この２つの層はそこで互に上に積み重ねされて、各層のボイドスペースが整列するようにしている。二重層のフォームスペーサ６０の壁６２は織んでいない（例えばＰ−８の）ストリップでラップされて（巻かれて）いるのがよい。スペーサ６０の少くとも一部分が吸収性コア２８に取付けられている。（スペーサ６０はまた、他の下に置かれた要素であるサブレイヤ、第２の（２次の）トップシートもしくはバックシートであるかあるいは交番に接合されていてもよい。）また、又スペーサ６０はスペーサの周辺６５のある部分か全部かに沿ってトップシート２４と接合しているのが好い。これがトップシート２４内の開口８０が使用の間にスペーサ６０のボイドスペースとの整列を保つように助ける。
【００６１】
別の実施例で図６に示したものでは、トップシート２４は着用したときに錐体構造１３０を作るように構成されている。図６に示すように、錐体構造はトップシートがコアから引き離すように第２の（２次の）トップシート、スペーサ、コアもしくはバックシートといった、下側の層への取り付けによって制限されなくなるまで、引張られて形成される。
【００６２】
この錐体構造は高さＨをもっているのがよく、この高さはスペーサのバックシートに面した側の上の距離として定義され、トップシート２４の開口８０は、ダイヤパー２０が平坦な構成にあるときに１００ｇよりも小さな力の下で持ち上げることができる距離である。高さＨは大きすぎてはいけないし、さもなければ応用するのがむづかしくなる。すなわち介護者にとって余計な注意とか時間をかけて、着用者の廃棄物発生源領域に堆体１３０の上部を整列させなければならず、あるいは堆体１３０が着用の際にそれ自体で折れ重なって、開口８０を閉じてしまうようになるからである。逆に、高さＨは小さすぎてもいけない。さもないと、スペーサのボイドスペース７０からあふれ出したものを処理するのに堆体１３０の中に十分な容積がないことになるからである。高さＨは約１．０ｃｍと約１０ｃｍとの間であるのが適切である。好ましいのは高さＨが約２ｃｍと約７ｃｍとの間にあることである。
【００６３】
この発明の特定の実施例について示して説明してきたし記述してきたが、当業者にとっては各種の他の変更と修正とがこの発明の精神と範囲とから逸脱することなく行なえることは明らかであろう。そこで、添付の特許請求の範囲は、この発明の範囲内にある変更と修正をカバーすることを意図して記載がされている。
【図面の簡単な説明】
【図１】  使い捨て可能なダイヤパーの平面図。
【図２】  この発明の使い捨て可能なダイヤパーの構造の平面図。
【図３】  着用時にとる形状を示すこの発明の一実施例の断面図。
【図４】  この発明とともに使用するのに適したスペースとり部材の平面図。
【図５】  図４の切断線５−５でとった図４のスペースとり部材の断面図。
【図６】  この発明の１実施例の断面図。
【図１】
0004767414.tif 000002
【図２】
0004767414.tif 000003
【図３】
0004767414.tif 000004
【図４】
0004767414.tif 000005
【図５】
0004767414.tif 000006
【図６】
0004767414.tif 000007